(57)【要約】【課題】錠剤、錠菓等の内容物を１個又は少数個だけ取り出すことができる包装容器を提供する。【解決手段】錠剤、錠菓等の包装容器は、錠剤収容部１１ａとこの錠剤収容部１１ａに連設された錠剤振り出し部１７を備える下容器１１と、下容器１１の上側開口部を覆う上カバー１２とからなる。下容器１１と上カバー１２は互いにスライド可能に形成されており、上カバーは錠剤振り出し部の先方部に対応する領域に天板から垂下する、一個の錠剤、錠菓等の内容物の厚さ、又は複数個の重なる錠剤、錠菓等の内容物の厚さに相応する高さの障害部を備える。【選択図】      図１
2006273360.tif 000002
【特許請求の範囲】
【請求項１】
錠剤収容部とこの錠剤収容部に連設された錠剤振り出し部を備える下容器と、下容器の上側開口部を覆う上カバーとからなり、下容器と上カバーは互いにスライド可能に形成されており、上カバーは錠剤振り出し部の先方部に対応する領域に天板から垂下する、一個の錠剤、錠菓等の内容物の厚さ、又は複数個の重なる錠剤、錠菓等の内容物の厚さに相応する高さの障害部を備えることを特徴とする錠剤、錠菓等の包装容器。
【請求項２】
障害部は、上カバーが閉じているときは、錠剤振り出し部の先方の壁に錠剤が接触しても錠剤、錠菓等の内容物に干渉しない位置にあり、且つ上カバーがスライドするときは、振り出すべき錠剤、錠菓等の内容物の上に重なる錠剤、錠菓等の内容物の先方への移動を阻止する位置にあることを特徴とする請求項１に記載の包装容器。
【請求項３】
錠剤振り出し部に、上カバーの障害部に対応する領域よりも前に錠剤、錠菓等の内容物が前進することを阻止する前進規制部を設けた事を特徴とする請求項１又は２に記載の錠剤、錠菓等の包装容器。
【請求項４】
障害部が間隔をおいて配置された一対の障害部要素からなり、両障害部要素間に障害部要素よりも錠剤振り出し部内側に突き出た前進規制部が配置されていることを特徴とする請求項１乃至３の何れか一項に記載の錠剤、錠菓等の包装容器。
【請求項５】
障害部が単一の障害部要素からなることを特徴とする請求項１乃至４の何れか一項に記載の錠剤、錠菓等の包装容器。
【請求項６】
前進規制部が、錠剤、錠菓等の内容物の前進を規制する形状に形成された錠剤振り出し部の左右壁部よりなることを特徴とする請求項５に記載の錠剤、錠菓等の包装容器。
【請求項７】
上カバーは下容器に対してスライド可能に形成された蓋体からなることを特徴とする請求項１乃至６の何れか一項に記載の錠剤、錠菓等の包装容器。
【請求項８】
上カバーが下容器に対してスライド可能に形成された筒状体からなることを特徴とする請求項１乃至７の何れか一項に記載の錠剤、錠菓等の包装容器。
【発明の詳細な説明】
【技術分野】
【０００１】
本発明は、錠剤、錠菓等の包装容器に関する。
【背景技術】
【０００２】
図１、図２に示すように、錠剤容器として、所定位置に通穴５を設けた仕切板２によって上下の錠剤収容室１ａと摺動室１ｂとに分割された本体ケース１と、所定位置に上下に貫通された穴を持った摺動耐３との組み合わせよりなり、該摺動体を本体ケース１の摺動室１ｂに摺動可能に挿入して構成した錠剤容器が使用されている（特許文献１参照）。
また、粒状内容物を定数量だけ取り出すことができる定数量取り出し機能を有するスライド式定数取り出し容器が知られている。この容器は、粒状内容物収納室を有するケース本体と、定数量以下の内容物だけを収容可能な定数量収容室を有するキャップとを相対摺動変位が可能に係合させ、内容物収容室と定数量収容室との間に粒状内容物を通過させることができる形状の内容物供給孔を有する仕切り板と内容物供給孔を開閉可能なシャッター部材とを配置し、ケース本体とキャップは、内容物供給孔が閉じてキャップの定数量収容室が閉じて外部に開口する位置に相対摺動変位可能に構成されたものである（特許文献２参照）。
【特許文献１】実開昭６１−１０５６７５号公報
【特許文献２】特開２００５−１５００７号公報
【発明の開示】
【発明が解決しようとする課題】
【０００３】
しかしながら、前記した錠剤容器には定量数個を取り出す機能は付加されていない。また、容器の下方に開口した開口部が小さく、一旦取り出し過ぎたものを容器に戻し難い上に直接手のひらに取りだした内容物を容器に戻すため内容物を濡らしたり、また、不潔感を伴うことになる。
また、特許文献２に記載の粒状内容物定数取り出し容器は、内容物供給孔を通して定数量の粒状、即ち球状の内容物をキャップに落下させて定数個取り出すように構成されているものの、錠剤、錠菓等の小円板状の内容物を一個又は少数個取り出すのには向いていない。
本発明が解決しようとする課題は、錠剤、錠菓等の内容物を一個又は少数個だけ取り出すことができる包装容器を提供することである。
【課題を解決するための手段】
【０００４】
請求項１に記載の発明は、上記の課題を解決するもので、錠剤収容部とこの錠剤収容部に連設された錠剤振り出し部を備える下容器と、下容器の上側開口部を覆う上カバーとからなり、下容器と上カバーは互いにスライド可能に形成されており、上カバーは錠剤振り出し部の先方部に対応する領域に天板から垂下する、一個の錠剤、錠菓等の内容物の厚さ、又は複数個の重なる錠剤、錠菓等の内容物の厚さに相応する高さの障害部を備えることを特徴とする錠剤、錠菓等の包装容器を要旨とする。
【０００５】
本発明によれば、下容器を上カバーに対してスライドさせて錠剤振り出し部を露出させ、そのとき振り出すべき錠剤、錠菓等の内容物の上に重なる上層部の錠剤、錠菓等の内容物が錠剤振り出し部に入り込むことを阻止し、下層の錠剤、錠菓等の内容物のみを錠剤振り出し部に入り込ませることにより、一個又は複数個の定量の錠剤、錠菓等の内容物を取り出すことができる。又、取り出し口が上向きなので、定量の錠剤、錠菓等の内容物を確認しながら取り出すことができる。
【０００６】
本発明の包装容器において、錠剤振り出し部に、錠剤振り出し部が上カバー内に位置するとき、上カバーの障害部に対応する領域よりも前に錠剤、錠菓等の内容物が前進することを阻止する前進規制部を設けることができる。これによって、下容器に上カバーを冠着するとき、上カバーに下方への力が加えられることにより、障害部が下方に下がり、障害部の下に入り込んだ錠剤、錠菓等の内容物が障害部の下端にあたって損なわれることを防止することができる。
【０００７】
本発明の包装容器において、障害部が間隔をおいて配置された一対の障害部要素で構成し、両障害部要素間に障害部要素よりも錠剤振り出し部内側に突き出た前進規制部を配置することができる。
【０００８】
本発明において、障害部を単一の障害部要素で構成することができる。
【０００９】
本発明において、前進規制部は、錠剤、錠菓等の内容物の前進を規制する形状に形成された錠剤振り出し部の左右壁部より構成することができる。
【００１０】
本発明において、上カバーは下容器に対してスライド可能に形成された蓋体で構成することができる。
【００１１】
本発明において、上カバーが下容器に対してスライド可能に形成された筒状体で構成することができる。
【発明の効果】
【００１２】
本発明の包装容器は、錠剤収容部とこの錠剤収容部に連設された錠剤振り出し部を備える下容器と、下容器の上側開口部を覆う上カバーとからなり、下容器と上カバーは互いにスライド可能に形成されており、上カバーは錠剤振り出し部の先方部に対応する領域に天板から垂下する、一個の錠剤、錠菓等の内容物の厚さ、又は複数個の重なる錠剤、錠菓等の内容物の厚さに相応する高さの障害部を備えることを特徴とする錠剤、錠菓等の包装容器であるので、下容器を上カバーに対してスライドさせて錠剤振り出し部を露出させ、そのとき振り出すべき錠剤、錠菓等の内容物の上に重なる上層の錠剤、錠菓等の内容物が錠剤振り出し部に入り込むことを阻止し、下層の錠剤、錠菓等の内容物のみを錠剤振り出し部に入り込ませることにより一個又は一個以上の定量の錠剤、錠菓等の内容物を取り出すことができる。  又、一つ目の内容物を取りだした後、錠剤振り出し部を露出させたまま、包装容器を手前に傾けると次の一錠が錠剤振り出し部１７に入るので容易に連続定量を行うことができる。
【発明を実施するための最良の形態】
【００１３】
図３乃至図１０は本発明の第１の実施の形態を示す。図３は下容器と上カバーからなる本発明の錠剤、錠菓等の包装容器の分解斜視図である。図４は上カバーの天板の下面に突設したリブを示す断面図である。図５は本発明の錠剤、錠菓等の包装容器の斜視図である。図６は図５に示す包装容器の後側面図である。図７は図５の状態の包装容器における障害部と錠剤の関係を示す部分断面図である。図８は下容器を上カバーに対してスライドさせ、錠剤振り出し部を露出させた状態を示す斜視図である。図９は図８の状態の包装容器における錠剤と障害部との関係を示す部分斜視図である。図１０は図９に示す状態の包装容器の部分断面図である。
【００１４】
本発明の錠剤、錠菓等の包装容器は、錠剤収容部１１ａとこの錠剤収容部１１ａに連設された錠剤振り出し部１７を備える下容器１１と、下容器１１の上側開口部を覆う蓋体状の上カバー１２とからなる。下容器１１にはスライド溝１９が備えられ、一方上カバー１２にはスライド突起１５が備えられ、スライド突起１５とスライド溝１９により、下容器１１と上カバー１２は、互いにスライド可能に形成されている。上カバー１２は錠剤振り出し部１７が突き出せるように側壁に切り欠き部１３が形成され、且つ錠剤振り出し部１７の先方部に対応する領域に天板から垂下する錠剤一つ分の厚さに相応する高さの障害部要素１４ａと障害部要素１４ｂからなる障害部が設けられている。それによって二層目の錠剤、錠菓等の内容物２１ａが錠剤振り出し部１７に入り込むことを阻止し、一層目の錠剤、錠菓等の内容物２１のみが錠剤振り出し部１７に入り込むことが可能であるように構成されている。又、錠剤振り出し部１７に、上カバー１２の障害部に対応する領域よりも前に錠剤、錠菓等の内容物が前進することを阻止する前進規制部１８が設けられている。この前進規制部１８は両障害部要素１４ａ、１４ｂ間に対応する位置に配置され、図７に示すように、障害部要素１４ａ、１４ｂよりも錠剤振り出し部１７の内側に突き出ており、錠剤振り出し部１７が上カバー１２内に位置するとき、左右壁部２２により錠剤、錠菓等の内容物２１が障害部１４の下に入り込まないように構成されている。これによって、下容器１１に上カバー１２を冠着するとき、上カバー１２に下方への力が加えられることにより、障害部が下方に下がり、障害部の下に入り込んだ錠剤、錠菓等の内容物が障害部の下端にあたって損なわれることを防止することができる。
【００１５】
上記の錠剤、錠菓等の包装容器において、下容器１１にスライド溝１９を設け、上カバー１２にスライド突起１５を設けることに代えて、下容器１１にスライド突起を設け、上カバー１２の内側にスライド溝を設けても良い。
【００１６】
更に本発明の錠剤、錠菓等の包装容器の実施の形態においては、下容器１１が上カバーから容易にスライドして飛び出すことがないように上カバー１２の天板の下側にリブ１６が設けられている。このリブ１６は下容器１１に係合し、上カバー１２から下容器１１が簡単に飛び出さないように構成されている。錠剤振り出し部１７を突き出すときは、リブ１７を乗り越えて下容器１７を移動させ下容器１１を上カバー１２に対して移動させることができる。
【００１７】
図６に示すように、上カバーの後側壁に切り欠き部２０が設けられており、この切り欠き部２０を通して露出した下容器１１の側壁を押すことにより、下容器１１を上カバー１２に対してスライドさせることができるように構成されている。
【００１８】
本発明の錠剤、錠菓等の包装容器によれば、図９、図１０に示すように、下容器１１を上カバー１２に対してスライドさせて錠剤振り出し部１７を露出させ、そのとき二層目の錠剤、錠菓等の内容物２１ａは、障害部１４ａ、１４ｂにより錠剤収容部１１ａ内に押し込まれるので、錠剤振り出し部１７に入り込むことが障害部要素１４ａ、１４ｂからなる障害部により阻止され、一層目の錠剤、錠菓等の内容物２１のみを錠剤振り出し部１７内に振り出し、錠剤、錠菓等の内容物２１を一個だけ取り出すことができる。
又、一つ目の内容物２１ａを取りだした後、錠剤振り出し部１７を露出させたまま、包装容器を手前に傾けると次の一錠が錠剤振り出し部１７に入るので容易に連続定量取り出しを行うことができる。
【００１９】
上記の発明の実施の形態においては、障害部は一個の錠剤、錠菓等の内容物の厚さに相応する高さに形成されているが、これに代えて、障害部は複数個の重なる錠剤、錠菓等の内容物の厚さに相応する高さに形成してもよい。
【００２０】
又、上記の発明の実施の形態において、障害部は壁状に形成されているが、これに代えて、障害部を棒状に形成してもよい。
【００２１】
又、本発明の錠剤、錠菓等の包装容器において、錠剤振り出し部１７の長さを長くすることにより、或いは横幅を広げて、取り出す錠剤の個数に応じて錠剤振り出し部を広くして、一個以上の定量の錠剤を取り出すことができるように構成することができる。又、包装容器を深くしたり、或いは錠剤を薄くしたりして錠剤の重なる度合いを増し、これを障害部１４ａ、１４ｂの高さを加減する等の調整と容易に組みあわせることができ、所望の量を定量宛取り出すことができるように包装容器を構成することができる。
【００２２】
図１１は本発明の錠剤、錠菓等の包装容器の別の実施の形態を示す。この実施の形態においては、上カバーが下容器に対してスライド可能に形成された筒状体３２で構成されている。又、図１２は同様に上部材３２ａと下部材３２ｂからなる筒状体３２で構成されている。その他の構成は図１３乃至図１０で示した第１の実施の形態と同様である。図１１、図１２に示すように上カバーを筒状体に構成することにより、密閉性が向上する。
尚、図１１、図１２に示す実施の形態においては、筒状体３２の後方の開口から露出する下容器１１の側壁面を押して下容器１１を上カバー３２に対してスライドさせることができる。
【００２３】
図１３、図１４は本発明の錠剤、錠菓等の包装容器の別の形状を示す。図１３、図１４に示すように、本発明の錠剤、錠菓等の包装容器はさまざまの形状を取ることができる。
【００２４】
図１５は更に別の実施の形態を示す。この実施の形態においては上カバー１２は単一の障害部１４を備える。又、この実施の形態は、前進規制部として、錠剤、錠菓等の内容物の前進を規制する形状に形成された錠剤振り出し部１７の左右壁部２２を備え、錠剤振り出し部１７が上カバー１２内に位置するとき、左右壁部２２により錠剤、錠菓等の内容物２１が障害部１４の下に入り込まないように規制されるように構成されている。又、図１６は、前進規制部として、錠剤振り出し部１７の左右壁部に突起２３が設けられ、錠剤振り出し部１７が上カバー１２内に位置するとき、左右壁部２２により錠剤、錠菓等の内容物２１が障害部１４の下に入り込まないように規制されるように構成されている。
【００２５】
本発明の錠剤、錠菓等の包装容器を構成する下容器１１及び上カバー１２はポリエチレン、ポリプロピレン、ポリエステル等の樹脂を用いて一体成形し、下容器１１と上カバー１２を係合させるだけで簡単に製造することができる。
【産業上の利用可能性】
【００２６】
本発明の錠剤、錠菓等の包装容器は、一個又は少数個の定量の錠剤、錠菓等を取り出すことができる包装容器として活用することができる。
【図面の簡単な説明】
【００２７】
【図１】特許文献１に記載の包装容器の断面図である。
【図２】特許文献１に記載の包装容器の使用状態を示す断面図である。
【図３】本発明の錠剤、錠菓等の包装容器の分解斜視図である。
【図４】本発明の包装容器を構成する上カバーの天板の下面に突設したリブを示す断面図である。
【図５】本発明の錠剤、錠菓等の包装容器の斜視図である。
【図６】本発明の包装容器の後側面図である。
【図７】図５に示す本発明の包装容器における障害部と錠剤の関係を示す部分断面図である。
【図８】本発明の包装容器の下容器を上カバーに対してスライドさせ、錠剤振り出し部を露出させた状態を示す斜視図である。
【図９】図８の状態の包装容器における錠剤と障害部との関係を示す部分斜視図である。
【図１０】図９に示す状態の包装容器の部分断面図である。
【図１１】本発明の包装容器の別の実施の形態の斜視図である。
【図１２】本発明の包装容器の更に別の実施の形態の斜視図である。
【図１３】本発明の包装容器の更に別の実施の形態をの平面図である。
【図１４】本発明の包装容器の更に別の実施の形態をの平面図である。
【図１５】本発明の包装容器の更に別の実施の形態の平面図である。
【図１６】本発明の包装容器の更に別の実施の形態の平面図である。
【符号の説明】
【００２８】
１１    下容器
１２    上カバー
１１ａ  錠剤収容部
１３    切り欠き部
１４ａ  障害部要素
１４ｂ  障害部要素
１４    障害部
１５    スライド突起
１６    リブ
１７    錠剤振り出し部
１８    前進規制部
１９    スライド溝
２０    切り欠き部
２１    錠剤、錠菓等の内容物
２１ａ  ２層目の錠剤、錠菓等の内容物
２２    前進規制部としての左右壁部
２３    前進規制部としての突起
３２    上カバーとしての筒状体
【図１】
2006273360.tif 000003
【図２】
2006273360.tif 000004
【図３】
2006273360.tif 000005
【図４】
2006273360.tif 000006
【図５】
2006273360.tif 000007
【図６】
2006273360.tif 000008
【図７】
2006273360.tif 000009
【図８】
2006273360.tif 000010
【図９】
2006273360.tif 000011
【図１０】
2006273360.tif 000012
【図１１】
2006273360.tif 000013
【図１２】
2006273360.tif 000014
【図１３】
2006273360.tif 000015
【図１４】
2006273360.tif 000016
【図１５】
2006273360.tif 000017
【図１６】
2006273360.tif 000018